(57)【要約】      （修正有）【課題】画像形成の際に、画像が形成された記録媒体に対してなされる後処理後の状態を反映した表示を行うことができる表示装置、画像形成装置及びプログラムを提供する。【解決手段】表示装置は、画像形成装置によって画像形成される画像を表示する表示手段と、前記画像形成装置によって画像形成された記録媒体に対し行われる後処理の内容に応じて、前記画像形成装置により画像形成される画像形成対象の画像の少なくとも一部を縮小して表示するよう前記表示手段を制御する表示制御手段とを有する。【選択図】図５
2014157385.tif 000002
【特許請求の範囲】
【請求項１】
画像形成装置によって画像形成される画像を表示する表示手段と、
前記画像形成装置によって画像形成された記録媒体に対し行われる後処理の内容に応じて、前記画像形成装置により画像形成される画像形成対象の画像の少なくとも一部を縮小して表示するよう前記表示手段を制御する表示制御手段と
を有する表示装置。
【請求項２】
画像形成対象の画像について、前記後処理の内容に応じて頁の順序を並びかえる並べ替え手段
をさらに有し、
前記表示制御手段は、前記並べ替え手段により並べ替えられた画像を表示するよう制御する
請求項１記載の表示装置。
【請求項３】
画像形成対象の画像のうち、複数の頁からなる画像について、頁ごとの画像へと分離する画像分離手段
をさらに有し、
前記並べ替え手段は、前記画像分離手段により分離された頁ごとの画像を並べかえる
請求項２記載の表示装置。
【請求項４】
前記画像分離手段は、冊子の表表紙及び該冊子の裏表紙からなる表紙画像から、該表表紙の画像を分離する
請求項３記載の表示装置。
【請求項５】
画像形成対象の複数の画像の中から、画像形成される画像の大きさによって表紙画像を判別する表紙画像判別手段
をさらに有し、
前記画像分離手段は、前記表紙画像判別手段により判別された表紙画像について分離する
請求項４記載の表示装置。
【請求項６】
前記表示制御手段は、画像形成対象の画像のうち、表表紙の画像を表示対象とし、他の画像を表示対象とはしないように制御する
請求項２乃至５いずれか記載の表示装置。
【請求項７】
画像形成対象の画像について、画像領域を後処理装置による断裁処理後の画像領域へと変更する画像領域変更手段
をさらに有し、
前記表示制御手段は、前記画像領域変更手段により変更された画像領域の画像を表示するよう制御する
請求項１乃至６いずれか記載の表示装置。
【請求項８】
前記表示制御手段は、前記画像形成装置によって、後処理装置による断裁処理に応じて記録媒体上の画像形成位置を記録媒体における断裁領域から遠ざける方向へと移動させて画像形成される場合に、該移動に対応した位置に画像が表示されるよう制御する
請求項１乃至７いずれか記載の表示装置。
【請求項９】
前記表示制御手段は、後処理装置による後処理により生成される冊子の見開き頁をなす隣り合う二頁についての表示間隔を、他の隣り合う頁との表示間隔よりも狭くして表示するよう制御する
請求項２乃至８いずれか記載の表示装置。
【請求項１０】
画像を表示する表示手段と、
記録媒体に画像を形成する画像形成手段と、
前記画像形成手段により画像が形成された記録媒体に対し行われる後処理の内容に応じて、前記画像形成手段により画像形成される画像形成対象の画像の少なくとも一部を縮小して表示するよう前記表示手段を制御する表示制御手段と
を有する画像形成装置。
【請求項１１】
画像形成装置によって画像形成される画像を表示するステップと、
前記画像形成装置によって画像形成された記録媒体に対し行われる後処理の内容に応じて、前記画像形成装置により画像形成される画像形成対象の画像の少なくとも一部を縮小して表示するよう制御するステップと
をコンピュータに実行させるプログラム。
【発明の詳細な説明】
【技術分野】
【０００１】
本発明は、表示装置、画像形成装置及びプログラムに関する。
【背景技術】
【０００２】
特許文献１は、印刷データを生成し、外部に送信する手段を備えた情報処理装置において、前記印刷データのページ単位の特性を示すインデックスを生成する手段と、その生成されたインデックスを前記印刷データにページ単位で挿入する手段を備えたことを特徴とする情報処理装置について開示している。
【０００３】
特許文献２は、冊子の印刷および製本に関する仕上り情報を指定する指定手段と、前記仕上り情報に従って得られる冊子の物理的形態をシミュレートした冊子画像を表示する表示手段と、を備えることを特徴とする画像表示装置について開示している。
【先行技術文献】
【特許文献】
【０００４】
【特許文献１】特開平９−１６３５１号公報
【特許文献２】特開２０００−１０８４６７号公報
【発明の概要】
【発明が解決しようとする課題】
【０００５】
本発明の目的は、画像形成の際に、画像が形成された記録媒体に対してなされる後処理後の状態を反映した表示を行うことができる表示装置、画像形成装置及びプログラムを提供することである。
【課題を解決するための手段】
【０００６】
請求項１に係る本発明は、画像形成装置によって画像形成される画像を表示する表示手段と、前記画像形成装置によって画像形成された記録媒体に対し行われる後処理の内容に応じて、前記画像形成装置により画像形成される画像形成対象の画像の少なくとも一部を縮小して表示するよう前記表示手段を制御する表示制御手段とを有する表示装置である。
【０００７】
請求項２に係る本発明は、画像形成対象の画像について、前記後処理の内容に応じて頁の順序を並びかえる並べ替え手段をさらに有し、前記表示制御手段は、前記並べ替え手段により並べ替えられた画像を表示するよう制御する請求項１記載の表示装置である。
【０００８】
請求項３に係る本発明は、画像形成対象の画像のうち、複数の頁からなる画像について、頁ごとの画像へと分離する画像分離手段をさらに有し、前記並べ替え手段は、前記画像分離手段により分離された頁ごとの画像を並べかえる請求項２記載の表示装置である。
【０００９】
請求項４に係る本発明は、前記画像分離手段は、冊子の表表紙及び該冊子の裏表紙からなる表紙画像から、該表表紙の画像を分離する請求項３記載の表示装置である。
【００１０】
請求項５に係る本発明は、画像形成対象の複数の画像の中から、画像形成される画像の大きさによって表紙画像を判別する表紙画像判別手段をさらに有し、前記画像分離手段は、前記表紙画像判別手段により判別された表紙画像について分離する請求項４記載の表示装置である。
【００１１】
請求項６に係る本発明は、前記表示制御手段は、画像形成対象の画像のうち、表表紙の画像を表示対象とし、他の画像を表示対象とはしないように制御する請求項２乃至５いずれか記載の表示装置である。
【００１２】
請求項７に係る本発明は、画像形成対象の画像について、画像領域を後処理装置による断裁処理後の画像領域へと変更する画像領域変更手段をさらに有し、前記表示制御手段は、前記画像領域変更手段により変更された画像領域の画像を表示するよう制御する請求項１乃至６いずれか記載の表示装置である。
【００１３】
請求項８に係る本発明は、前記表示制御手段は、前記画像形成装置によって、後処理装置による断裁処理に応じて記録媒体上の画像形成位置を記録媒体における断裁領域から遠ざける方向へと移動させて画像形成される場合に、該移動に対応した位置に画像が表示されるよう制御する請求項１乃至７いずれか記載の表示装置である。
【００１４】
請求項９に係る本発明は、前記表示制御手段は、後処理装置による後処理により生成される冊子の見開き頁をなす隣り合う二頁についての表示間隔を、他の隣り合う頁との表示間隔よりも狭くして表示するよう制御する請求項２乃至８いずれか記載の表示装置である。
【００１５】
請求項１０に係る本発明は、画像を表示する表示手段と、記録媒体に画像を形成する画像形成手段と、前記画像形成手段により画像が形成された記録媒体に対し行われる後処理の内容に応じて、前記画像形成手段により画像形成される画像形成対象の画像の少なくとも一部を縮小して表示するよう前記表示手段を制御する表示制御手段とを有する画像形成装置である。
【００１６】
請求項１１に係る本発明は、画像形成装置によって画像形成される画像を表示するステップと、前記画像形成装置によって画像形成された記録媒体に対し行われる後処理の内容に応じて、前記画像形成装置により画像形成される画像形成対象の画像の少なくとも一部を縮小して表示するよう制御するステップとをコンピュータに実行させるプログラムである。
【発明の効果】
【００１７】
請求項１に係る本発明によれば、画像形成の際に、画像が形成された記録媒体に対してなされる後処理後の状態を反映した表示を行うことができる表示装置を提供することができる。
【００１８】
請求項２に係る本発明によれば、請求項１に係る本発明の効果に加え、製本後のページ順序により画像形成対象の画像を確認することができる表示装置を提供することができる。
【００１９】
請求項３に係る本発明によれば、請求項２に係る本発明の効果に加え、１枚の記録媒体に、製本後のページ順序とは異なる複数のページが画像形成される場合であっても、製本後のページ順序により画像形成対象の画像を確認することができる表示装置を提供することができる。
【００２０】
請求項４に係る本発明によれば、請求項３に係る本発明の効果に加え、１枚の記録媒体に表表紙と裏表紙が画像形成される場合であっても、製本後のページ順序により画像形成対象の画像を確認することができる表示装置を提供することができる。
【００２１】
請求項５に係る本発明によれば、請求項４に係る本発明の効果に加え、画像形成対象の複数の画像について、いずれの画像が表紙画像であるかの指定がない場合であっても、表紙画像を判別することができる表示装置を提供することができる。
【００２２】
請求項６に係る本発明によれば、請求項２乃至５いずれかに係る本発明の効果に加え、本構成を有しない場合に比べ、容易に画像形成対象を確認することができる表示装置を提供することができる。
【００２３】
請求項７に係る本発明によれば、請求項１乃至６いずれかに係る本発明の効果に加え、画像形成対象の画像について断裁後の状態を確認することができる表示装置を提供することができる。
【００２４】
請求項８に係る本発明によれば、請求項１乃至７いずれかに係る本発明の効果に加え、断裁処理のために記録媒体上の画像形成位置が変更される場合に、記録媒体上での変更後の画像形成位置を確認することができる表示装置を提供することができる。
【００２５】
請求項９に係る本発明によれば、請求項２乃至８いずれかに係る本発明の効果に加え、いずれのページといずれのページが見開きのページの関係にあるかを確認することができる表示装置を提供することができる。
【００２６】
請求項１０に係る本発明によれば、画像形成の際に、画像が形成された記録媒体に対してなされる後処理後の状態を反映した表示を行うことができる画像形成装置を提供することができる。
【００２７】
請求項１１に係る本発明によれば、画像形成の際に、画像が形成された記録媒体に対してなされる後処理後の状態を反映した表示を行うことができるプログラムを提供することができる。
【図面の簡単な説明】
【００２８】
【図１】本発明の一実施形態に係る画像形成システム２の模式図である。
【図２】後処理装置６によりくるみ製本がなされた冊子の一例を示す斜視図である。
【図３】後処理装置６により断裁される領域について例示する平面図である。
【図４】本実施形態の画像形成システム２における画像形成装置４のハードウェア構成を示すブロック図である。
【図５】制御プログラムが実行されることにより実現される画像形成装置４の機能構成を示すブロック図である。
【図６】並べ替え部５８によるページの並べ替えについて説明する模式図であり、（ａ）は、印刷データ受付部５０が受付けた印刷データに基づいて画像形成部５４が画像形成するページの順序を示しており、（ｂ）は、（ａ）で示したページ順序に対し並べ替え部５８により並べ替えがなされたページ順序を示している。
【図７】表示制御部５６による制御により表示された画像形成対象の縮小画像の例を示す平面図であり、（ａ）は、縮小画像の表示画面において、１画面目を示し、（ｂ）は、（ａ）に表示された縮小画像の後続のページを表示する２画面目を示している。
【図８】画像形成対象の縮小画像の表示についての比較例を示す平面図である。
【図９】本実施形態における画像形成装置４における表示動作の一例について示すフローチャートである。
【図１０】図９に示したフローチャートのステップ１０２における並べ替えの動作の一例を示すフローチャートである。
【図１１】記録媒体上の画像形成位置が変更された場合の縮小表示の一例を示す模式図である。
【図１２】見開き頁をなす隣り合う２ページについての表示間隔を調整して表示する一例を示す平面図である。
【図１３】後処理装置６により中綴じ製本がなされた冊子の一例を示す斜視図である。
【図１４】中綴じ製本された冊子のページ順序について説明する模式図である。
【図１５】図１４に示した冊子を構成するページについて、並べ替え部５８による並べ替えを説明する模式図であり、（ａ）は、印刷データ受付部５０が受付けた印刷データに基づいて画像形成部５４が画像形成するページの順序を示しており、（ｂ）は、（ａ）で示したページ順序に対し並べ替え部５８により並べ替えがなされたページ順序を示している。
【図１６】変形例におけるステップ１０２の並べ替えの動作の一例を示すフローチャートである。
【発明を実施するための形態】
【００２９】
以下、本発明の実施形態について図面を参照して詳細に説明する。
図１は、本発明の一実施形態に係る画像形成システム２の模式図である。
【００３０】
本発明の一実施形態の画像形成システム２は、図１に示されるように、画像形成装置４、画像形成装置４に重連接続された後処理装置６と、給紙装置８と、端末装置１０とから構成されている。画像形成装置４と端末装置１０とは、ネットワーク１２により接続されている。
【００３１】
端末装置１０は、印刷データを生成して、ネットワーク１２経由にて生成した印刷データを画像形成装置４に対して送信する。給紙装置８は、画像形成装置４に用紙などの記録媒体を供給する。画像形成装置４は、端末装置１０から送信された印刷データを受け付けて、印刷データに応じた画像を記録媒体上に出力する。また、画像形成装置４には、原稿から画像を読み取るスキャナなどの図示しない画像読取装置が設けられており、この画像読取装置に読み取れた画像も記録媒体上に出力する。後処理装置６は、画像形成装置４により画像が形成された記録媒体に対して、針留め（ステープル）、穴開け（パンチ）、裁断、折り処理、製本（ブックレット）等の各種後処理を行う機能を備えている。
【００３２】
なお、本実施形態では、後処理装置６は、画像形成装置４から排出及び搬送された記録媒体について、くるみ製本についての後処理を行うものとして説明する。
【００３３】
図２は、後処理装置６によりくるみ製本がなされた冊子の一例を示す斜視図である。
【００３４】
くるみ製本では、図２に示すように、冊子２０に含まれる記録媒体の束である中紙２２の一辺である背部２４に対して糊を塗布し、表紙２６を構成する記録媒体に接着する処理が行われる。また、本実施形態の後処理装置６では、記録媒体の断裁処理も行う。
【００３５】
図３は、後処理装置６により断裁されて切除される領域（断裁領域）について例示する平面図である。くるみ製本では、第１の大きさの記録媒体により、第２の大きさの記録媒体の束をくるむようにして製本している。例えば、Ａ３サイズの表紙により、Ａ４サイズの中紙をくるむ場合のように、表紙が中紙の倍の大きさである場合、図３に示されるように、表紙２６は、中紙２２の全面を覆うことができない。このため、中紙２２は、表紙２６からはみ出してしまう。このような場合に、冊子２０の体裁を整えるために、図３に示す断裁領域２８の部分の記録媒体を断裁する処理を行う。
【００３６】
なお、断裁の幅は、予め定めた幅でもよいし、表紙に挟まれる中紙２２の厚みに基づいて定められた幅でもよい。また、図３に示した例では、表紙２６と中紙２２とが断裁される例を示しているが、中紙２２だけが断裁されてもよい。また、断裁処理は、中紙２２が表紙２６からはみ出るか否かにかかわらず行われてもよく、断裁箇所は、冊子２０における背部２４と対向する辺（小口）のみでなく、冊子の天地の辺において行ってもよい。
【００３７】
次に、本実施形態の画像形成システム２における画像形成装置４のハードウェア構成を図４に示す。
【００３８】
画像形成装置４は、図４に示されるように、ＣＰＵ３０、メモリ３２、ハードディスクドライブ（ＨＤＤ）等の記憶装置３４、ネットワーク１２を介して外部の装置等との間でデータの送信及び受信を行う通信インタフェース（ＩＦ）３６、タッチパネル又は液晶ディスプレイ並びにキーボードを含むユーザインタフェース（ＵＩ）装置３８、画像読取装置４０、給紙機構４１、プリントエンジン（印刷機構）４２、後処理機構４３を有する。これらの構成要素は、制御バス４４を介して接続されている。
【００３９】
ＣＰＵ３０は、メモリ３２または記憶装置３４に格納された制御プログラムに基づいて処理を実行して、画像形成装置４の動作を制御する。
【００４０】
なお、本実施形態では、ＣＰＵ３０は、メモリ３２または記憶装置３４内に格納された制御プログラムを読み出して実行するものとして説明したが、当該プログラムをＣＤ−ＲＯＭ等の記憶媒体に格納してＣＰＵ３０に提供することも可能である。
【００４１】
図５は、上記の制御プログラムが実行されることにより実現される画像形成装置４の機能構成を示すブロック図である。なお、図５に示される構成の一部又は全ては、ＡＳＩＣ，ＦＰＧＡなどのハードウェアにより実現されてもよい。
【００４２】
図５に示すように、画像形成装置４は、印刷データ受付部５０と、後処理情報受付部５２と、画像形成部５４と、表示部５５と、表示制御部５６と、並べ替え部５８と、画像分離部６０と、表紙画像判別部６２と、画像サイズ判定部６４と、画像領域変更部６６とを有する。
なお、本実施形態では、図５に示されるように画像形成装置４の機能として各部について説明するが、画像形成部５４を除く各部ついて、表示装置としてのＵＩ装置３８の機能として実現してもよい。この場合、ＵＩ装置３８は、画像形成装置４の一部装置としてではなく、別の装置として設けられてもよい。
【００４３】
印刷データ受付部５０は、端末装置１０又は画像読取装置４０から印刷データを受付ける。例えば、印刷データは、後処理装置６により後処理が施される記録媒体に形成される複数のページの画像情報を含んでいる。
【００４４】
後処理情報受付部５２は、印刷データに基づく画像形成がなされた記録媒体に対して後処理装置６によりなされる後処理の内容を示す情報を、端末装置１０又はＵＩ装置３８から受付ける。後処理の内容を示す情報には、例えば、記録媒体に対してくるみ製本処理を行うという情報や断裁処理を行うという情報が含まれ、さらに、後処理における設定値（例えば、上述の断裁の幅、右綴じによる製本か左綴じによる製本かについての情報）などの情報を含んでもよい。なお、使用者は、後処理の内容について、端末装置１０から指定してもよいし、ＵＩ装置３８から指定してもよい。
【００４５】
画像形成部５４は、印刷データ受付部５０が受付けた印刷データに基づいて、プリントエンジン４２により記録媒体へ印刷し画像形成を行う。また、画像形成がなされた記録媒体は、後処理装置６に送られ、指定された後処理が行われる。なお、本実施形態では、後処理装置６は、くるみ製本処理及び断裁処理を行う。
【００４６】
表示部５５は、ＵＩ装置３８に画像を表示する。
表示制御部５６は、画像形成装置４により画像が形成された記録媒体に対し後処理を行う後処理装置６の処理内容に応じて、画像形成装置４により画像形成される画像形成対象の画像の少なくとも一部を縮小して表示するよう表示部５５を制御する。
【００４７】
本実施形態の表示制御部５６は、後処理装置６による処理後のページ順序により、画像形成対象の画像を縮小表示（サムネイル表示）するよう制御する。
【００４８】
また、本実施形態の表示制御部５６は、画像形成対象の画像の画像領域のうち、後処理装置６による断裁処理後の画像領域を切り出して表示し、断裁処理で断裁されてしまう画像領域については表示しないよう制御する。具体的には、表示制御部５６は、後述する画像領域変更部６６により画像領域が変更された画像を表示するよう制御する。
【００４９】
並べ替え部５８は、印刷データ受付部５０が受付けた印刷データにより画像形成が要求された複数のページの画像群を、後処理の内容に応じてページの順序を並べ替える。具体的には、例えば、並べ替え部５８は、後処理情報受付部５２が受付けた後処理情報に基づいて、後処理装置６による後処理後のページの順序へと並びかえる。つまり、並べ替え部５８は、印刷データにより指定されたページ順序を、後処理の内容により定まる後処理後のページ順序へと並べ替える。
【００５０】
図６は、並べ替え部５８によるページの並べ替えについて説明する模式図である。図６（ａ）は、印刷データ受付部５０が受付けた印刷データに基づいて画像形成部５４が画像形成するページの順序を示しており、図６（ｂ）は、図６（ａ）で示したページ順序に対し並べ替え部５８により並べ替えがなされたページ順序を示している。
【００５１】
ここで、図６（ａ）に示した例では、くるみ製本の表紙２６となる記録媒体への画像形成に続き、中紙２２となる記録媒体への画像形成が行われる場合を示している。この例におけるページ順序では、最初のページとして裏表紙のページがあり、次に、表表紙のページがあり、その後に、中紙のページが続いている。しかし、後処理装置６によって、くるみ製本がなされた場合、製本処理後のページ順序は、最初のページとして表表紙のページがあり、次に中紙のページが続き、最後に裏表紙のページがくる。並べ替え部５８では、このように、印刷データにより指定されたページ順序を、後処理後のページ順序へと並べ替える。
【００５２】
なお、図６（ａ）に示した例では、くるみ製本の表紙２６となる記録媒体への画像形成に続き、中紙２２となる記録媒体への画像形成が行われる場合を図示しているが、表紙２６となる記録媒体への画像形成順序は、図６（ａ）に示した例のほか、例えば、中紙２２となる記録媒体への画像形成の途中に挿入されてもよいし、最後に画像形成されてもよい。
【００５３】
また、図６（ａ）にあるように、くるみ製本では、１の記録媒体に、表表紙のページの画像と裏表紙のページの画像とが画像形成される。この場合、ページの並べ替えを行うために、当該記録媒体に画像形成される画像について、表表紙のページの画像と裏表紙のページの画像とに分離を行う必要がある。
【００５４】
画像分離部６０は、画像形成対象の画像のうち、複数のページからなる画像について、ページごとの画像へと分離する。具体的には、画像分離部６０は、後処理後のページにおいて複数のページを構成する一つの画像について、ページごとの画像へと分離する。本実施形態では、画像形成対象の画像が画像形成された記録媒体について後処理がなされた結果、当該記録媒体に、連続しない複数のページが構成されることとなる場合に、当該記録媒体に画像形成される画像について、ページごとの画像へと分離する。
【００５５】
例えば、上記のように、表表紙及び裏表紙からなる表紙画像が画像形成された記録媒体については、くるみ製本がなされると、この記録媒体には、表表紙である最初のページと、裏表紙である最後のページという、連続しないページが画像形成されることとなる。画像分離部６０は、表表紙及び裏表紙からなる表紙画像から、表表紙の画像と裏表紙の画像とを分離し、並べ替え部５８は、この分離された画像に基づいて、上記の並べ替えを行う。なお、裏表紙に画像を画像形成しない場合には、画像分離部６０は、表紙画像から表表紙の画像を分離し、表表紙に画像を画像形成しない場合には、画像分離部６０は、表紙画像から裏表紙の画像を分離する。なお、本実施形態では、以下の表紙画像判別部６２により判別された表紙画像について、画像分離部６０は、画像の分離を行う。
【００５６】
次に、表紙画像の判別について説明する。表紙画像判別部６２は、印刷データにより画像形成が要求された、画像形成対象である複数の画像のうち、いずれの画像が表紙画像であるか否かを判別する。本実施形態では、表紙画像判別部６２は、画像サイズ判定部６４により判定された各画像の大きさに基づいて、画像形成対象である複数の画像の中から、他の画像よりも画像形成時の画像の大きさが大きいものを抽出し、抽出した画像を表紙画像として判別する。上述の通り、くるみ製本では、第１の大きさの記録媒体と、第２の大きさの記録媒体とを含んでおり、最も大きい記録媒体に画像形成される画像が表紙画像と判別される。
【００５７】
なお、表紙画像判別部６２は、他の方法により表紙画像を判別してもよい。例えば、画像形成対象である複数の画像のうち表紙画像を指定する情報に基づいて判別してもよい。表紙画像を指定する情報は、印刷データに含まれてもよいし、端末装置１０又はＵＩ装置３８からの入力情報から取得してもよい。
【００５８】
画像サイズ判定部６４は、印刷データに基づいて、画像形成対象である複数の画像について、画像形成される際の画像の大きさを判定する。
【００５９】
画像領域変更部６６は、後処理情報受付部５２が受付けた情報に基づく断裁処理における断裁幅に従って、画像形成対象の画像の画像領域のうち、後処理装置６による断裁処理後の画像領域として予定される画像領域を切り出して、表示する画像の画像領域を変更する。
【００６０】
図７は、表示制御部５６による制御により表示された画像形成対象の縮小画像の例を示す平面図であり、（ａ）は、縮小画像の表示画面において、１画面目を示し、（ｂ）は、（ａ）に表示された縮小画像の後続のページを表示する２画面目を示している。図７に示されるように、表示制御部５６による制御により表示された画像形成対象の画像の縮小画像は、後処理後のページ順序（表表紙のページ、中紙のページ（Ａ〜Ｖ）、裏表紙のページの順）に並んで表示される。なお、図７に示した例では、各縮小画像は、後処理装置６による断裁処理後の画像領域が表示されている。
【００６１】
図８は、画像形成対象の縮小画像の表示についての比較例を示す平面図である。図８では、図７と同じ印刷データ基づく縮小画像について、並べ替えを行わずに表示した場合を例示している。また、図８に示した例では、断裁処理される領域についてもそのまま表示されている。なお、図８において、各縮小画像のハッチング領域が、後処理装置６により断裁処理される領域を示している。
【００６２】
図８に示した比較例では、後処理後のページ順序が反映されておらず、後処理装置６による処理結果後の状態とは、異なって表示されている。また、図８に示した比較例では、後処理装置６により行われる断裁処理後の状態とも異なっている。
【００６３】
これに対し、図７に示した表示例では、後処理後の状態が反映されて表示されおり、また、断裁領域は表示していないため、画面内の表示領域に、図８に示した例よりも多くのページが表示されている。
【００６４】
図９は、本実施形態における画像形成装置４における表示動作の一例について示すフローチャートである。
【００６５】
ステップ１００（Ｓ１００）において、印刷データ及び後処理についての内容が、それぞれ印刷データ受付部５０、後処理情報受付部５２により取得される。
【００６６】
ステップ１０２（Ｓ１０２）において、並べ替え部５８が、印刷データにより指定されたページ順序を、後処理の内容により定まる後処理後のページ順序へと並べ替える。なお、ステップ１０２の動作の詳細は、図１０により説明する。
【００６７】
ステップ１０４（Ｓ１０４）において、画像領域変更部６６により、画像形成対象の画像の画像領域のうち、後処理装置６により断裁される断裁領域がカットされる。
【００６８】
ステップ１０６（Ｓ１０６）において、画像形成対象の画像の縮小表示が行われる。なお、例えば、表示制御部５６は、図７（ａ）に示されるように、まず、１画面目を表示し、１画面目に収まらないページについては、使用者の操作により２画面目の表示が指定された場合、図７（ｂ）のように表示する。
【００６９】
次に、ステップ１０２の並べ替えの動作について説明する。
図１０は、ステップ１０２における並べ替えの動作の一例を示すフローチャートである。
【００７０】
ステップ２００（Ｓ２００）において、印刷データにより画像形成が要求された画像の１つについて、表紙画像判別部６２が、表紙画像であるか否かを判別する。本実施形態では、画像サイズ判定部６４による判定に基づいて、表紙画像であるか否かを判別する。
【００７１】
表紙画像である場合、ステップ２０２へ移行する。一方、表紙画像ではない場合（中紙の画像である場合）、印刷データにより指定された順序にそのまま従い順番の入れ替えは行わず、ステップ２１０へ移行する。なお、印刷データにおける中紙の画像の順序が、製本後の中紙のページの順序と異なる場合には、後処理後のページ順序となるよう画像を並べ替える。
【００７２】
ステップ２０２（Ｓ２０２）において、画像分離部６０は、表紙画像を表表紙の画像と裏表紙の画像とに分離する。
【００７３】
ステップ２０４（Ｓ２０４）において、後処理装置６による製本における綴じ方向を、後処理情報受付部５２が受付けた情報に基づいて判定する。左綴じの製本の場合、ステップ２０６へ移行し、右綴じの製本の場合、ステップ２０８へ移行する。
【００７４】
ステップ２０６（Ｓ２０６）において、並べ替え部５８は、ステップ２０２において分離された画像のうち右側の画像を縮小表示における最初のページになるようにし、左側の画像は、縮小表示における最後のページになるようにする。
【００７５】
一方、ステップ２０８（Ｓ２０８）では、並べ替え部５８は、ステップ２０２において分離された画像のうち左側の画像を縮小表示における最初のページになるようにし、右側の画像は、縮小表示における最後のページになるようにする。
【００７６】
ステップ２１０（Ｓ２１０）において、印刷データにより画像形成が要求された画像が他にもあるか否かが判定され、他にも画像がある場合には、ステップ２００へ戻り同様の動作がなされる。印刷データにより画像形成が要求された全ての画像について、縮小表示における表示順序が定められた場合には、終了する。
【００７７】
以上、本発明の第１の実施形態について説明したが、画像形成部５４は、後処理装置６により断裁処理がなされる場合に、記録媒体上の画像形成位置を、記録媒体における断裁領域から遠ざける方向（記録媒体における断裁されない側）へと移動させて画像形成してもよい。この場合、表示制御部５６は、縮小表示する画像についても、画像形成部５４の画像形成位置の変更と同様に、画像形成位置が変更される画像部分を、画像領域内の画像形成位置の移動に対応した位置に表示するよう制御してもよい。
【００７８】
図１１は、記録媒体上の画像形成位置が変更された場合の縮小表示の一例を示す模式図である。
【００７９】
図１１に示した図において、上段の図及び中段の図は、画像形成位置が変更される前の元の画像形成位置による表示例を示し、下段の図は、画像形成部５４により画像形成位置が変更された場合の変更後の画像形成位置による表示例を示している。なお、上段では、断裁される領域がハッチングにより示されている。また、図１１の左列の図では、記録媒体の右側が断裁される場合を示し、この場合、画像形成部５４は、画像形成位置を左側にずらして画像形成する。図１１の右列の図では、記録媒体の左側が断裁される場合を示し、この場合、画像形成部５４は、画像形成位置を右側にずらして画像形成する。
【００８０】
図１１に示すように、表示制御部５６は、画像形成部５４が断裁されない側へと画像形成位置をずらす場合に、画像形成位置の変更を表示に反映させる。
【００８１】
また、表示制御部５６は、後処理装置６による後処理後により生成される冊子の見開き頁をなす隣り合う二頁についての表示間隔を、他の隣り合う頁との表示間隔よりも狭くして表示するよう制御してもよい。なお、見開きページとは、製本された冊子を開いた際に、隣り合って並ぶ２ページをいう。
【００８２】
図１２は、見開き頁をなす隣り合う２ページについての表示間隔を調整して表示する一例を示す平面図である。
【００８３】
図１２に示されるように、見開きページ７０では、隣り合う２ページについての表示間隔が、見開きのページの関係にない他のページとの表示間隔に比べ狭くなるよう表示されている。
【００８４】
次に、本実施形態の変形例について説明する。上記の実施形態では、後処理装置６により、くるみ製本する場合を例に説明したが、本変形例の説明では、図１３に示すように中綴じ製本する場合を例に説明する。
【００８５】
まず、図１３に示されるような中綴じ製本を行う場合の製本後のページ順序について説明する。
【００８６】
図１４は、中綴じ製本された冊子のページ順序について説明する模式図である。なお、図１４は、記録媒体８０、８２及び８４から構成される冊子を図示しており、記録媒体８０が表紙を構成している。
【００８７】
各記録媒体については、その両面に画像が形成されている。具体的には、記録媒体８０の一方の面には製本後のページ番号１及びページ番号１２をなす画像がそれぞれ形成されており、他方の面には、製本後のページ番号２及びページ番号１１をなす画像がそれぞれ形成されている。また、記録媒体８２の一方の面には製本後のページ番号３及びページ番号１０をなす画像がそれぞれ形成されており、他方の面には、製本後のページ番号４及びページ番号９をなす画像がそれぞれ形成されている。記録媒体８４の一方の面には製本後のページ番号５及びページ番号８をなす画像がそれぞれ形成されており、他方の面には、製本後のページ番号６及びページ番号７をなす画像がそれぞれ形成されている。
【００８８】
図１５は、図１４に示した冊子を構成するページについて、並べ替え部５８による並べ替えを説明する模式図である。図１５（ａ）は、印刷データ受付部５０が受付けた印刷データに基づいて画像形成部５４が画像形成するページの順序を示しており、図１５（ｂ）は、図１５（ａ）で示したページ順序に対し並べ替え部５８により並べ替えがなされたページ順序を示している。
【００８９】
図１５に示されるように、並べ替え部５８による並べ替えにより後処理後のページ順序となり、このページ順序により表示がなされることとなる。
【００９０】
図１６は、本変形例におけるステップ１０２の並べ替えの動作の一例を示すフローチャートである。本変形例では、図１０に示したステップ１０２の動作に代えて、図１６に示す動作をステップ１０２において行う。
【００９１】
まず、ステップ３００（Ｓ３００）において、表示制御部５６は、印刷データにより画像形成が要求された画像の１つについて、中綴じ製本後のページとして割り当てられたページ番号を取得する。なお、表示制御部５６は、例えば、ステップ１００で受付けた後処理の内容についての情報から、当該画像に割り当てられたページ番号を取得する。例えば、記録媒体８０の第１面に形成される画像には、中綴じ製本後のページ番号として、ページ番号１とページ番号１２とが割り当ており、表示制御部５６は、この割り当てられたページ番号を取得する。
【００９２】
次に、ステップ３０２（Ｓ３０２）において、画像分離部６０が、印刷データにより画像形成が指示された画像について、割り当てられたページごとの画像へと分離する。
【００９３】
次に、ステップ３０４（Ｓ３０４）において、並べ替え部５８は、分離された各画像に割り当てられているページ番号に従って、中綴じ製本後のページ順序へと画像を並べ替える。
【００９４】
ステップ３０６（Ｓ３０６）において、印刷データにより画像形成が要求された画像が他にもあるか否かが判定され、他にも画像がある場合には、ステップ３００へ戻り同様の動作がなされる。印刷データにより画像形成が要求された全ての画像について、縮小表示における表示順序が定められた場合には、終了する。
【００９５】
以上、実施形態の一例及び変形例について説明したが、表示制御部５６は、画像領域変更部６６により画像領域が変更された画像について、並べ替えを行わずに、縮小表示するよう制御してもよい。
【符号の説明】
【００９６】
２        ：画像形成システム
４        ：画像形成装置
６        ：後処理装置
８        ：給紙装置
１０      ：端末装置
１２      ：ネットワーク
３８      ：ＵＩ装置
５０      ：印刷データ受付部
５２      ：後処理情報受付部
５４      ：画像形成部
５５      ：表示部
５６      ：表示制御部
５８      ：並べ替え部
６０      ：画像分離部
６２      ：表紙画像判別部
６４      ：画像サイズ判定部
６６      ：画像領域変更部
【図１】
2014157385.tif 000003
【図２】
2014157385.tif 000004
【図３】
2014157385.tif 000005
【図４】
2014157385.tif 000006
【図５】
2014157385.tif 000007
【図６】
2014157385.tif 000008
【図７】
2014157385.tif 000009
【図８】
2014157385.tif 000010
【図９】
2014157385.tif 000011
【図１０】
2014157385.tif 000012
【図１１】
2014157385.tif 000013
【図１２】
2014157385.tif 000014
【図１３】
2014157385.tif 000015
【図１４】
2014157385.tif 000016
【図１５】
2014157385.tif 000017
【図１６】
2014157385.tif 000018